(57)【要約】【課題】漏れ防止性能が一層優れた使い捨ておむつを提供すること。【解決手段】液透過性の表面シート２、裏面シート３及びこれら両シート間に配された吸収体４を具備し、背側部、腹側部及び股下部を有する使い捨ておむつ１であり、表面シート２は、股下部に配された中央領域２ｃと、腹側部及び背側部に配された端部領域２ａ，２ｂとを有しており、中央領域２ｃ及び端部領域２ａ，２ｂそれぞれの肌当接面に、おむつ長手方向及び幅方向に分散した状態に多数の凸部２１が形成されており、表面シート２は、前記端部領域２ａ，２ｂにおける見掛けの厚みが、前記中央領域２ｃにおける見掛け厚みより厚い。【選択図】図２
2009101091.tif 000002
【特許請求の範囲】
【請求項１】
液透過性の表面シート、裏面シート及びこれら両シート間に配された吸収体を具備し、背側部、腹側部及び股下部を有する使い捨ておむつにおいて、
前記表面シートは、股下部に配された中央領域と、前記腹側部及び前記背側部に配された端部領域とを有しており、
前記中央領域及び前記端部領域それぞれの肌当接面に、おむつ長手方向及び幅方向に分散した状態に多数の凸部が形成されており、
前記表面シートは、前記端部領域における見掛けの厚みが、前記中央領域における見掛け厚みより厚い、使い捨ておむつ。
【請求項２】
前記端部領域の前記凸部の高さが、前記中央領域の前記凸部の高さより高い、請求項１記載の使い捨ておむつ。
【請求項３】
液透過性の表面シート、裏面シート及びこれら両シート間に配された吸収体を具備し、背側部、腹側部及び股下部を有する使い捨ておむつにおいて、
前記表面シートは、股下部に配された中央領域と、前記腹側部又は前記背側部に配された端部領域とを有しており、
前記中央領域の肌当接面に、凹凸が形成されておらず、前記端部領域の肌当接面に、おむつ長手方向及び幅方向に分散した状態に多数の凸部が形成されており、
前記表面シートは、前記端部領域における見掛けの厚みが、前記中央領域における見掛け厚みより厚い、使い捨ておむつ。
【請求項４】
前記表面シートの平面視において、前記端部領域の前記中央領域側の縁部が、該中央領域側に向かって凹状をなしている、請求項１〜３の何れかに記載の使い捨ておむつ。
【発明の詳細な説明】
【技術分野】
【０００１】
本発明は、使い捨ておむつに関する。
【背景技術】
【０００２】
使い捨ておむつの肌当接面に用いる表面シートとして、凹凸を有するものが知られている。
また、吸収性物品の肌当接面に、凸部の高さが異なる複数の領域を形成することが知られている。例えば、特許文献１には、長手方向の両側部又は長手方向の後方部を凸部が規則的に形成された凹凸領域とする一方、肌当接面のそれ以外の部位を凸部が形成されていない非凹凸領域とすることが記載されている。
【０００３】
【特許文献１】特開２００３−２７５２３９号公報
【発明の開示】
【発明が解決しようとする課題】
【０００４】
しかし、肌当接面に凹凸を有する従来の使い捨ておむつであっても、漏れ防止性は必ずしも十分ではなく、例えば、着用者の姿勢によっては漏れが生じやすい場合があり、漏れ防止性が一層向上した使い捨ておむつが望まれていた。
【０００５】
従って、本発明の目的は、漏れ防止性能が一層向上した使い捨ておむつを提供することにある。
【課題を解決するための手段】
【０００６】
本発明は、液透過性の表面シート、裏面シート及びこれら両シート間に配された吸収体を具備し、背側部、腹側部及び股下部を有する使い捨ておむつにおいて、前記表面シートは、股下部に配された中央領域と、前記腹側部及び前記背側部に配された端部領域とを有しており、前記中央領域及び前記端部領域それぞれの肌当接面に、おむつ長手方向及び幅方向に分散した状態に多数の凸部が形成されており、前記表面シートは、前記端部領域における見掛けの厚みが、前記中央領域における見掛け厚みより厚い、使い捨ておむつを提供することにより前記目的を達成したものである。
【０００７】
本発明は、液透過性の表面シート、裏面シート及びこれら両シート間に配された吸収体を具備し、背側部、腹側部及び股下部を有する使い捨ておむつにおいて、前記表面シートは、股下部に配された中央領域と、前記腹側部又は前記背側部に配された端部領域とを有しており、前記中央領域の肌当接面に、凹凸が形成されておらず、前記端部領域の肌当接面に、おむつ長手方向及び幅方向に分散した状態に多数の凸部が形成されており、前記表面シートは、前記端部領域における見掛けの厚みが、前記中央領域における見掛け厚みより厚い、使い捨ておむつを提供することにより前記目的を達成したものである。
【発明の効果】
【０００８】
本発明の使い捨ておむつは、優れた漏れ防止性能を有する。
【発明を実施するための最良の形態】
【０００９】
以下本発明を、その好ましい実施形態に基づき説明する。
図１は、本発明の第１実施形態としての使い捨ておむつを一部破断して示す平面図であり、図２は、図１のＩＩ−ＩＩ線断面図である。
第１実施形態のおむつ１は、図１及び図２に示すように、液透過性の表面シート２、液不透過性ないし撥水性の裏面シート３、及びこれら両シート２，３間に配された吸収体４を具備する。また、おむつ１は、長手方向に、腹側部Ａ、背側部Ｂ及びこれらＡ，Ｂの間に位置する股下部Ｃを有している。腹側部Ａは、おむつ着用時に着用者の腹側に位置する部位、背側部Ｂは、着用者の背側に位置する部位、股下部Ｃは、着用者の股下に位置する部位である。股下部Ｃは、おむつ１の長手方向中央部に位置している。
【００１０】
本実施形態のおむつ１は、股下部Ｃの両側縁が内向きの円弧状に湾曲しており、全体として長手方向中央部が内方に括れた砂時計状の形状を有している。また、表面シート２は、吸収体４よりも外形寸法の大きい略矩形状の平面視形状を有しており、裏面シート３の幅方向中央部に配されている。裏面シート３は、おむつの外形形状に一致する砂時計状の外形を有している。表面シート２及び裏面シート３は、それぞれ吸収体４の長手方向両端縁部及び幅方向両側縁部から外方に延出しており、それらの延出部において直接的に又は他の部材を介在させて互いに接合されている。
【００１１】
おむつ１は、いわゆる展開型のおむつであり、背側部Ｂの左右両側縁部に一対のファスニングテープ５，５設けられ、腹側部Ａの外表面（非肌当接面）に、該ファスニングテープ５，５を止着させるランディングテープ６が設けられている。
おむつ１の長手方向両側部それぞれには、弾性部材７１を有する立体ギャザー形成用シート７２が、表面シート２の両側部を覆うように配されており、これによって一対の立体ギャザー７，７が形成されている。立体ギャザー形成用シート７２は、表面シート２に対して、表面シート２の両側縁部において接合されており、それによって、おむつ１の長手方向に延びる立体ギャザーの固定端７３，７３が形成されている。
また、おむつ１の長手方向両側部それぞれには、レッグギャザー形成用の複数本のレッグ弾性部材８１が略直線状に配されており、おむつ１の腹側部Ａ及び背側部Ｂにおけるウエスト部には、ウエストギャザー形成用の帯状のウエスト部弾性部材８２が、ウエスト部の端縁に沿って配されている。
【００１２】
第１実施形態のおむつ１における表面シート２は、図１及び図２に示すように、股下部Ｃに配された中央領域２ｃと、腹側部Ａ及び背側部Ｂに配された端部領域２ａ，２ｂとを有している。
そして、中央領域２ｃ及び端部領域２ａ，２ｂそれぞれの肌当接面に、おむつ長手方向及び幅方向に分散した状態に多数の凸部２１が形成されている。図１には、便宜上、中央領域２ｃに形成されている凸部２１を白抜きの略矩形で示し、端部領域２ａ，２ｂに形成されている凸部２１を黒く塗りつぶした略矩形で示した。
【００１３】
第１実施形態のおむつ１の表面シート２においては、図３に示すように、端部領域２ａ，２ｂに形成された凸部２１の高さＨ１が、中央領域２ｃに形成された凸部２１の高さＨ２より高くなっている。また、それにより、表面シート２は、端部領域２ａ，２ｂにおける見掛けの厚みＴ１が、中央領域２ｃにおける見掛け厚みＴ２より厚くなっている。
【００１４】
第１実施形態のおむつ１によれば、表面シート２における、腹側部Ａ及び背側部Ｂに配された端部領域２ａ，２ｂそれぞれの見掛け厚みＴ１が、中央領域２ｃにおける見掛け厚みＴ２よりも厚くなっているため、中央領域２ｃから前後に向かって流れる尿や軟便の流れを、領域間に形成される段差により堰き止めることができる。
しかも、第１実施形態のおむつ１においては、中央領域２ｃに凸部２１が形成されており、中央領域２ｃからおむつ幅方向に液が拡散して漏れ出すことを効率的に阻止できる上に、端部領域２ａ，２ｂの凸部２１の高さＨ１が、中央領域２ｃの凸部２１の高さＨ２より高いため、中央領域２ｃから前後に向かって流れる尿や軟便が、端部領域２ａ，２ｂに侵入した場合であっても、該端部領域２ａ，２ｂ内にそれらを捕捉し、それらがおむつ１の前後端から漏れ出すことも効率的に阻止することができる。
【００１５】
第１実施形態のおむつ１によれば、このように、おむつの幅方向の端部及び長手方向の端部の何れからも液が漏れ出し難く、そのため、着用者の姿勢によらずに高い漏れ防止性能が得られる。即ち、着用者である幼児等が、うつぶせ寝で寝ている状態、仰向けで寝ている状態、横向きに寝ている状態、起立している状態等においても漏れが生じにくい。
【００１６】
しかも、端部領域２ａ，２ｂの凸部２１の高さＨ１が、中央領域２ｃの凸部２１の高さＨ２より高いため、ウエスト部の通気性が高まり、着用中におけるムレやそれによる不快感を低減することができる。
【００１７】
第１実施形態のおむつ１における表面シート２は、図２に示すように、凹凸形状に賦形された第１不織布２２と、第１不織布２２の凹部において第１不織布２２と接合されている略平坦な第２不織布２３とからなる。
第１不織布２２には、凸部と凹部とがおむつ長手方向に交互に且つ一列をなすように形成されており、そのような列が、おむつ幅方向に多列に形成されている。おむつ幅方向において隣接する列同士は、凸部の位置がおむつ長手方向に半ピッチ分ずれている。第１不織布２２と第２不織布２３とは、第１不織布２２の平面視矩形状の凹部の四隅において接合されているが、凹部の全域において接合されていても良い。
第１及び第２不織布２２，２３としては、例えば、使い捨ておむつや生理用ナプキン等の吸収性物品の表面シートの形成材料として公知の各種の不織布を特に制限なく用いることができる。例えば、カード法又はエアレイド法により得た繊維ウエブにエアースルー法で繊維同士の熱融着点を形成したエアースルー不織布、カード法により得た繊維ウエブにヒートロール法で繊維同士の熱融着点を形成したヒートロール不織布、ヒートエンボス不織布、スパンボンド不織布（Ｓ）、メルトブローン不織布（Ｍ）、スパンボンド−メルトブローン複合不織布（ＳＭ，ＳＭＳ，ＳＭＭＳ等）、スパンレース不織布、ニードルパンチ不織布等の種々の不織布を用いることができる。
【００１８】
第１実施形態で用いた表面シート２は、例えば、第１不織布２２を、周面が凹凸形状となっている第１ロールの該周面に沿うように変形させ、変形した状態の第１不織布２２を、第１ロールの周面に吸着させたまま、第２不織布２３と合流させ、両不織布２２，２３を、第１ロールの凸部と周面が平滑な第２ロールの該周面との間で加熱及び加圧することにより得られる。表面シート２に、凸部２１の高さが高い端部領域２ａ，２ｂと凸部２１の高さが低い中央領域２ｃとを形成するには、例えば、周面が凹凸形状となっている第１ロールに、端部領域２ａ，２ｂに対応する深さの深い凹部を有する領域と中央領域２ｃに対応する深さの浅い凹部を有する領域とを形成する。凹凸形状となっている第１ロールの該周面に沿うように変形させる方法としては、第１ロールと、互いに噛み合う形状の凹凸形状を周面に有する第３ロールとの間に噛み込ませる方法や、第３ロールを用いずに、第１不織布２２を、第１ロールの凹凸形状の凹部に強力に吸引する方法がある。
【００１９】
表面シート２は、端部領域２ａ，２ｂにおける見掛けの厚みＴ１（図３参照）が、０．５〜６．０ｍｍ、特に１．５〜４．０ｍｍであることが好ましく、中央領域２ｃにおける見掛けの厚みＴ２（図３参照）が、０．５〜４．０ｍｍ、特に１．０〜２．５ｍｍであることが好ましい。見掛けの厚みＴ１と見掛けの厚みＴ２との差（Ｔ１−Ｔ２）は、０．５〜５．０ｍｍ、特に１．０〜３．０ｍｍであることが好ましい。見掛けの厚みＴ１と見掛けの厚みＴ２との比（Ｔ１／Ｔ２）は、１．２〜６．０、特に１．５〜４．０であることが好ましい。
また、表面シート２は、端部領域２ａ，２ｂにおける凸部２１の高さＨ１（図３参照）が、０．５〜５．０ｍｍ、特に１．０〜３．０ｍｍであることが好ましく、中央領域２ｃにおける凸部２１の高さＨ２（図３参照）が、０．５〜４．０ｍｍ、特に０．５〜２．０ｍｍであることが好ましい。高さＨ１と高さＨ２との差（Ｈ１−Ｈ２）は、０．５〜５．０ｍｍ、特に１．０〜３．０ｍｍであることが好ましい。高さＨ１と高さＨ２との比（Ｈ１／Ｈ２）は、１．２〜６．０、特に１．５〜４．０であることが好ましい。
中央領域２ｃの凸部２１は、表面シート２の１ｃｍ2当たりの個数が、１〜１６個、特に４〜９個であることが好ましく、端部領域２ａ，２ｂの凸部２１は、表面シート２の１ｃｍ2当たりの個数が、１〜１６個、特に４〜９個であることが好ましい。
【００２０】
表面シート２の端部領域及び中央領域の見掛け厚みＴ１，Ｔ２は以下のようにして測定される。
（端部領域及び中央領域の見掛け厚みＴ１，Ｔ２の測定方法）
測定機：カトーテック（株）製  ＫＥＳ−Ｇ５ハンディー圧縮試験機
測定方法：加圧子１５ｍｍ  荷重０．５ｇｆ／ｃｍ2  速度０．０１ｃｍ／ｓｅｃ
測定条件：標準測定温湿度  ２０±０．５℃  ６５±５％ＲＨ
端部領域、中央領域それぞれの長手方向及び幅方向の中心点と、前記中心点に対して長手方向前後と幅方向左右の合計を測定し、そのＮ＝５以上の平均値とする。
ただし、大きなしわがある部位は測定から除くものとする。
【００２１】
おむつ１における各部の形成材料について説明すると、裏面シート３、吸収体４、立体ギャザー形成用シート７２等としては、従来の使い捨ておむつにおいて、それぞれの材料として用いられている各種公知の材料等を、特に制限なく用いることができる。
【００２２】
次に、本発明の他の実施形態の使い捨ておむつについて説明する。
他の実施形態については、上述した第１実施形態の使い捨ておむつと異なる点について説明し、同様の点については説明を省略する。特に説明しない点については、第１実施形態に関して上述した説明が適宜適用される。
【００２３】
第２実施形態の使い捨ておむつは、図４に示す表面シート２Ａを具備する。
表面シート２Ａは、一枚の立体シート２４の長手方向の両端部それぞれにもう一枚の立体シート２５を積層し、両立体シート２４，２５の層間を接合して形成されている。表面シート２Ｂは、立体シート２４のみからなる部分が、股下部Ｃに配される中央領域２ｃであり、立体シート２４，２５からなる部分が、腹側部Ａ及び背側部Ｂに配される端部領域２ａ，２ｂである。立体シート２４，２５は、何れも、上述した表面シート２の中央領域２ｃと同一の構造を有している。立体シート２４は、表面シート２Ａの外形と同じ外形を有している。立体シート２５は、おむつ幅方向と同方向の長さが立体シート２４と同じであるが、おむつ長手方向と同方向の長さが立体シート２４より短い。両立体シート２４，２５の接合方法としては、ホットメルト型接着剤等の接着剤、ヒートシール、超音波シール、高周波シール等の公知の接合方法を用い得る。表面シート２Ａにおいては、立体シート２４と立体シート２５とで、凸部２１の高さや立体シートの厚みは同じである。
表面シート２Ａにおいても、腹側部Ａ及び背側部Ｂに配された端部領域２ａ，２ｂそれぞれの見掛け厚みＴ１が、中央領域２ｃにおける見掛け厚みＴ２よりも厚くなっている。
【００２４】
第３実施形態の使い捨ておむつは、図５に示す表面シート２Ｂを具備する。
表面シート２Ｂは、一枚の立体シート２４の長手方向の両端部それぞれに他の立体シート２５を接合して形成されている。表面シート２Ｂは、立体シート２４からなる部分が、股下部Ｃに配される中央領域２ｃであり、立体シート２５からなる部分が、腹側部Ａ及び背側部Ｂに配される端部領域２ａ，２ｂである。立体シート２４，２５は、何れも、上述した表面シート２の中央領域２ｃと同一の構造を有している。立体シート２５は、おむつ幅方向と同方向の長さが立体シート２４と同じであるが、おむつ長手方向と同方向の長さが立体シート２４より短い。表面シート２Ｂにおいては、立体シート２５の凸部２１の高さＨ１及び見掛け厚みＴ１が、立体シート２４の凸部２１の高さＨ２及び見掛け厚みＴ２より大きい。
【００２５】
第４実施形態の使い捨ておむつは、図６に示す表面シート２Ｃを具備する。
表面シート２Ｃは、、凹凸が形成されていない一枚の不織布製シート２６の両端部それぞれに立体シート２７を積層し、両シート２６，２７の層間を接合して形成されている。表面シート２Ｃは、不織布製シート２６のみからなる部分が、股下部Ｃに配される中央領域２ｃであり、不織布製シート２６及び立体シート２７からなる部分が、腹側部Ａ及び背側部Ｂに配される端部領域２ａ，２ｂである。立体シート２７は、上述した表面シート２の端部領域２ａ，２ｂと同一の構造を有している。表面シート２Ｃにおいては、端部領域２ａ，２ｂに凸部２１が形成されていることによって、端部領域２ａ，２ｂにおける見掛けの厚みＴ１が、中央領域２ｃにおける見掛け厚みＴ２より厚くなっている。
【００２６】
第５実施形態の使い捨ておむつは、図７に示す表面シート２Ｄを具備する。
表面シート２Ｄは、凹凸が形成されていない一枚の不織布製シート２６の両端部それぞれに立体シート２７を接合して形成されている。不織布製シート２６からなる部分が、股下部Ｃに配される中央領域２ｃであり、立体シート２７からなる部分が、腹側部Ａ及び背側部Ｂに配される端部領域２ａ，２ｂである。立体シート２７は、上述した表面シート２の端部領域２ａ，２ｂと同一の構造を有している。
表面シート２Ｄにおいては、端部領域２ａ，２ｂに凸部２１が形成されていることによって、端部領域２ａ，２ｂにおける見掛けの厚みＴ１が、中央領域２ｃにおける見掛け厚みＴ２より厚くなっている。
【００２７】
第４及び第５実施形態に用いた表面シート２Ｃ，２Ｄのように、中央領域２ｃの肌当接面に凹凸が形成されておらず、端部領域２ａ，２ｂの肌当接面に、おむつ長手方向及び幅方向に分散した状態に多数の凸部２１が形成されている場合においても、端部領域２ａ，２ｂそれぞれの見掛け厚みＴ１が、中央領域２ｃにおける見掛け厚みＴ２よりも厚くなっていることによって、中央領域２ｃから前後に向かって流れる尿や軟便の流れを、領域間に形成される段差により堰き止めることができる。また、尿や軟便が、端部領域２ａ，２ｂに侵入した場合であっても、凸部２１の存在によって、該端部領域２ａ，２ｂ内にそれらを捕捉し、それらがおむつ１の前後端から漏れ出すことを効果的に防止することができる。
【００２８】
表面シート２Ｃ，２Ｄは、端部領域２ａ，２ｂにおける見掛けの厚みＴ１（図６，７参照）が、０．５〜６．０ｍｍ、特に１．５〜４．０ｍｍであることが好ましく、中央領域２ｃにおける見掛けの厚みＴ２（図６，７参照）が、０．５〜５．０ｍｍ、特に０．５〜３．０ｍｍであることが好ましい。見掛けの厚みＴ１と見掛けの厚みＴ２との差（Ｔ１−Ｔ２）は、０．５〜５．０ｍｍ、特に１．０〜３．０ｍｍであることが好ましい。見掛けの厚みＴ１と見掛けの厚みＴ２との比（Ｔ１／Ｔ２）は、１．２〜６．０、特に１．５〜４．０であることが好ましい。
また、表面シート２Ｃ，２Ｄは、端部領域２ａ，２ｂにおける凸部２１の高さＨ１（図６，７参照）が、０．５〜５．０ｍｍ、特に１．０〜３．０ｍｍであることが好ましく、高さＨ１と前記厚みＴ２との差（Ｈ１−Ｔ２）が、０．５〜５．０ｍｍ、特に１．０〜３．０ｍｍであることが好ましい。高さＨ１と厚みＴ２との比（Ｈ１／Ｔ２）は、１．２〜６．０、特に１．５〜４．０であることが好ましい。
【００２９】
以上、本発明の幾つかの実施形態について説明したが、本発明は、前述した実施形態に制限されるものではなく、本発明の趣旨を逸脱しない範囲において種々変形可能である。
例えば、上述した各実施形態における表面シートは、その平面視において、端部領域２ａ，２ｂの中央領域２ｃ側の縁部が、おむつの幅方向と略平行に形成されていたが、図８（ａ）〜図８（ｄ）に示すように、端部領域２ａ，２ｂの中央領域２ｃ側の縁部２８は、中央領域２ｃ側に向かって凹状に形成されていることが、横漏れを防止する観点から好ましい。
【００３０】
また、端部領域２ａ，２ｂと中央領域２ｃとで凸部２１の大きさ、配置間隔や存在密度を異ならせることもできる。例えば、端部領域２ａ，２ｂの凸部２１を中央領域２ｃの凸部２１よりも密に存在させることで、尿や軟便の堰き止め効果が向上する。また、端部領域２ａ，２ｂの凸部２１を中央領域２ｃの凸部２１よりも粗に存在させることで、端部領域２ａ，２ｂにおける液の吸収体への取り込み性を向上させることもできる。更に、端部領域２ａ，２ｂの全体又は一部を構成している立体シート２５，２７等は、端部からの液にじみによる漏れを防止する観点から、それ自体や、他のシートとの接合部を撥水性とすることも好ましい。
【００３１】
また、表面シートの凸部は、平面視して略矩形状のものに代えて、円形状、楕円形状、長円状等他の形状であっても良い。また、表面シートは、第１不織布及び第２不織布からなるものに代えて、立体賦形された第１不織布のみからなるものや、不織布と開孔フィルムとからなるもの等であっても良い。
また、本発明の使い捨ておむつは、展開型の使い捨ておむつに代えて、パンツ型の使い捨ておむつであっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００３２】
【図１】図１は、本発明の使い捨ておむつの一実施形態を一部破断して示す平面図である。
【図２】図２は、図１のＩＩ−ＩＩ線断面図である。
【図３】図３に示す使い捨ておむつの表面シートの一部を拡大して示す拡大断面図である。
【図４】図４は、本発明の他の実施形態における表面シートを示す断面図（おむつ長手方向に沿う断面図）である。
【図５】図５は、本発明の更に他の実施形態における表面シートを示す断面図（おむつ長手方向に沿う断面図）である。
【図６】図６は、本発明の更に他の実施形態における表面シートを示す断面図（おむつ長手方向に沿う断面図）である。
【図７】図７は、本発明の更に他の実施形態における表面シートを示す断面図（おむつ長手方向に沿う断面図）である。
【図８】図８（ａ）〜（ｄ）は、本発明の更に他の実施形態を示す表面シートの模式平面図である。
【符号の説明】
【００３３】
１  使い捨ておむつ
２，２Ａ〜２Ｄ  表面シート
２ａ，２ｂ  端部領域
２ｃ  中央領域
２１  凸部
２２  第１不織布
２３  第２不織布
３  裏面シート
４  吸収体
５  ファスニングテープ
６  ランディングテープ
Ａ  背側部
Ｂ  腹側部
Ｃ  股下部
【図１】
2009101091.tif 000003
【図２】
2009101091.tif 000004
【図３】
2009101091.tif 000005
【図４】
2009101091.tif 000006
【図５】
2009101091.tif 000007
【図６】
2009101091.tif 000008
【図７】
2009101091.tif 000009
【図８】
2009101091.tif 000010